(57)【要約】【課題】タッチパネル上に表示される操作画面の特定範囲にどのような意味が付与されているかを操作者に伝えること。【解決手段】操作画面を表示すると共に操作者の接触位置を検出するタッチパネル部１５と、複数の駆動領域を有し、タッチパネル部１５上の操作者の接触位置を振動させる振動デバイス２３と、を具備し、振動デバイス２３によってタッチパネル部１５上の操作者の接触位置に表示された表示内容に応じた特定の駆動領域を振動させることで、タッチパネル部１５上の操作者の接触位置に対応する表示内容を操作者に通知する。【選択図】図２
2008046844.tif 000002
【特許請求の範囲】
【請求項１】
操作画面を表示すると共に操作者の接触位置を検出するタッチパネルと、複数の駆動領域を有し前記タッチパネル上の操作者の接触位置を振動させる振動デバイスと、を具備し、前記振動デバイスは、前記タッチパネル上の操作者の接触位置に表示された表示内容に応じた特定の前記駆動領域を振動させることを特徴とする移動体端末装置。
【請求項２】
前記駆動領域に予め操作者が把握可能な情報を割り当てておき、前記振動デバイスは、前記タッチパネル上の操作者の接触位置の表示内容に応じた前記情報が割り当てられた前記駆動領域を振動させることを特徴とする請求項１記載の移動体端末装置。
【請求項３】
前記駆動領域に予め複数の情報を割り当てておき、前記振動デバイスは、前記タッチパネル上の操作者の接触位置の表示内容に応じた前記情報が割り当てられた前記駆動領域を所定回数振動させることを特徴とする請求項２記載の移動体端末装置。
【請求項４】
前記駆動領域に予め文字情報又は数字情報を割り当てることを特徴とする請求項２又は請求項３記載の移動体端末装置。
【請求項５】
前記振動デバイスは、前記タッチパネル上の操作者の指の接触面に対応する複数の駆動領域を有することを特徴とする請求項１から請求項４のいずれかに記載の移動体端末装置。
【請求項６】
操作画面を表示すると共に操作者の接触位置を検出するタッチパネルと、複数の駆動領域を有し前記タッチパネル上の操作者の接触位置を振動させる振動デバイスと、を具備する移動体端末装置の操作支援方法であって、前記タッチパネル上の操作者の接触位置を検出し、当該接触位置に表示された表示内容に応じた特定の前記駆動領域を振動させることを特徴とする移動体端末装置の操作支援方法。
【請求項７】
前記駆動領域に予め操作者が把握可能な情報を割り当てておき、前記タッチパネル上の操作者の接触位置の表示内容に応じた前記情報が割り当てられた前記駆動領域を振動させることを特徴とする請求項６記載の移動体端末装置の操作支援方法。
【請求項８】
前記駆動領域に予め複数の情報を割り当てておき、前記タッチパネル上の操作者の接触位置の表示内容に応じた前記情報が割り当てられた前記駆動領域を所定回数振動させることを特徴とする請求項７記載の移動体端末装置の操作支援方法。
【請求項９】
前記駆動領域に予め文字情報又は数字情報を割り当てることを特徴とする請求項７又は請求項８記載の移動体端末装置の操作支援方法。
【請求項１０】
前記振動デバイスに、前記タッチパネル上の操作者の指の接触面に対応する複数の駆動領域を備えたことを特徴とする請求項６から請求項９のいずれかに記載の移動体端末装置の操作支援方法。
【発明の詳細な説明】
【技術分野】
【０００１】
本発明は、移動体端末装置及びこれを用いた操作支援方法に関し、特に、ユーザインターフェイスとしてタッチパネルを有する移動体端末装置及びその操作支援方法に関する。
【背景技術】
【０００２】
従来、本体又はタッチパネルの一方を機械的に駆動する駆動手段を有し、タッチパネルの操作面の特定の座標範囲の内部での機械的駆動を当該座標範囲の中央に向かって徐々に強く変化させ、操作者の操作を上記座標範囲の中央に誘引すると共に、上記座標範囲の外部での機械的駆動を当該座標範囲の方向に向かって徐々に強く変化させ、当該座標範囲の方向に操作者の操作を誘引するタッチパネルを有する装置が提案されている（例えば、特許文献１参照）。これによれば、操作者の操作が好ましい操作位置に誘引され、入力の誤りを犯すことが少ない操作性に優れたタッチパネルを有する装置を提供することができる。
【特許文献１】特開２００４−８６７１１号公報
【発明の開示】
【発明が解決しようとする課題】
【０００３】
しかしながら、上述したような従来のタッチパネルを有する装置においては、機械的駆動を制御することによって何らかの意味を有するタッチパネル領域である旨を操作者に伝えることはできるものの、そのタッチパネル領域にどのような意味が付与されているかを操作者に伝えることができないという問題がある。
【０００４】
本発明は、かかる点に鑑みて為されたものであり、タッチパネル上に表示される操作画面の特定範囲にどのような意味が付与されているかを操作者に伝えることができる移動体端末装置及びその操作支援方法を提供することを目的とする。
【課題を解決するための手段】
【０００５】
本発明の移動体端末装置は、操作画面を表示すると共に操作者の接触位置を検出するタッチパネルと、複数の駆動領域を有し前記タッチパネル上の操作者の接触位置を振動させる振動デバイスと、を具備し、前記振動デバイスは、前記タッチパネル上の操作者の接触位置に表示された表示内容に応じた特定の前記駆動領域を振動させることを特徴とする。
【０００６】
この構成によれば、タッチパネル上の操作者の接触位置の表示内容に応じた特定の駆動領域における振動を介して、操作者の接触位置に対応する表示内容を操作者に通知することができるので、タッチパネル上に表示される操作画面の特定範囲にどのような意味が付与されているかを操作者に伝えることが可能となる。
【０００７】
上記移動体端末装置において、前記駆動領域に予め操作者が把握可能な情報を割り当てておき、前記振動デバイスは、前記タッチパネル上の操作者の接触位置の表示内容に応じた前記情報が割り当てられた前記駆動領域を振動させることが好ましい。この場合には、タッチパネル上の操作者の接触位置の表示内容に応じた情報が割り当てられた駆動領域における振動を介して、操作者の接触位置に対応する表示内容を操作者に通知することができるので、タッチパネル上に表示される操作画面の特定範囲にどのような意味が付与されているかを具体的に操作者に伝えることが可能となる。
【０００８】
特に、上記移動体端末装置において、前記駆動領域に予め複数の情報を割り当てておき、前記振動デバイスは、前記タッチパネル上の操作者の接触位置の表示内容に応じた前記情報が割り当てられた前記駆動領域を所定回数振動させることが好ましい。この場合には、タッチパネル上の操作者の接触位置の表示内容に応じた情報が割り当てられた駆動領域における所定回数の振動を介して、操作者の接触位置に対応する表示内容を操作者に通知することができるので、振動デバイスが有する駆動領域の数量を減らしつつ、タッチパネル上に表示される操作画面の特定範囲にどのような意味が付与されているかを具体的に操作者に伝えることが可能となる。
【０００９】
例えば、上記移動体端末装置においては、前記駆動領域に予め文字情報又は数字情報を割り当てることが考えられる。この場合には、文字情報又は数字情報に基づく振動を介して、タッチパネル上の操作者の接触位置の表示内容を操作者に通知することができるので、タッチパネル上に表示される操作画面の特定範囲にどのような意味が付与されているかを明確に操作者に伝えることが可能となる。
【００１０】
また、上記移動体端末装置において、前記振動デバイスは、前記タッチパネル上の操作者の指の接触面に対応する複数の駆動領域を有することが好ましい。この場合には、タッチパネル上の操作者の指の接触面を介して、操作者の接触位置に対応する表示内容を通知することができるので、タッチパネルの限られた範囲を有効に活用しつつ、タッチパネル上に表示される操作画面の特定範囲にどのような意味が付与されているかを明確に操作者に伝えることが可能となる。
【００１１】
本発明の移動体端末装置の操作支援方法は、操作画面を表示すると共に操作者の接触位置を検出するタッチパネルと、複数の駆動領域を有し前記タッチパネル上の操作者の接触位置を振動させる振動デバイスと、を具備する移動体端末装置の操作支援方法であって、前記タッチパネル上の操作者の接触位置を検出し、当該接触位置に表示された表示内容に応じた特定の前記駆動領域を振動させることを特徴とする。
【００１２】
この方法によれば、タッチパネル上の操作者の接触位置の表示内容に応じた特定の駆動領域における振動を介して、操作者の接触位置に対応する表示内容を操作者に通知することができるので、タッチパネル上に表示される操作画面の特定範囲にどのような意味が付与されているかを操作者に伝えることが可能となる。
【００１３】
上記移動体端末装置の操作支援方法において、前記駆動領域に予め操作者が把握可能な情報を割り当てておき、前記タッチパネル上の操作者の接触位置の表示内容に応じた前記情報が割り当てられた前記駆動領域を振動させることが好ましい。この場合には、タッチパネル上の操作者の接触位置の表示内容に応じた情報が割り当てられた駆動領域における振動を介して、操作者の接触位置に対応する表示内容を操作者に通知することができるので、タッチパネル上に表示される操作画面の特定範囲にどのような意味が付与されているかを具体的に操作者に伝えることが可能となる。
【００１４】
特に、上記移動体端末装置の操作支援方法において、前記駆動領域に予め複数の情報を割り当てておき、前記タッチパネル上の操作者の接触位置の表示内容に応じた前記情報が割り当てられた前記駆動領域を所定回数振動させることが好ましい。この場合には、タッチパネル上の操作者の接触位置の表示内容に応じた情報が割り当てられた駆動領域における所定回数の振動を介して、操作者の接触位置に対応する表示内容を操作者に通知することができるので、振動デバイスが有する駆動領域の数量を減らしつつ、タッチパネル上に表示される操作画面の特定範囲にどのような意味が付与されているかを具体的に操作者に伝えることが可能となる。
【００１５】
例えば、上記移動体端末装置の操作支援方法においては、前記駆動領域に予め文字情報又は数字情報を割り当てることが考えられる。この場合には、文字情報又は数字情報に基づく振動を介して、タッチパネル上の操作者の接触位置の表示内容を操作者に通知することができるので、タッチパネル上に表示される操作画面の特定範囲にどのような意味が付与されているかを明確に操作者に伝えることが可能となる。
【００１６】
また、上記移動体端末装置の操作支援方法において、前記振動デバイスに、前記タッチパネル上の操作者の指の接触面に対応する複数の駆動領域を備えることが好ましい。この場合には、タッチパネル上の操作者の指の接触面を介して、操作者の接触位置に対応する表示内容を通知することができるので、タッチパネルの限られた範囲を有効に活用しつつ、タッチパネル上に表示される操作画面の特定範囲にどのような意味が付与されているかを明確に操作者に伝えることが可能となる。
【発明の効果】
【００１７】
本発明に係る移動体端末装置及びその操作支援方法によれば、振動デバイスが、タッチパネル上の操作者の接触位置に表示された表示内容に応じた特定の駆動領域を振動させるようにしたことから、タッチパネル上の操作者の接触位置の表示内容に応じた特定の駆動領域における振動を介して、当該表示内容を操作者に通知することができるので、タッチパネル上に表示される操作画面の特定範囲にどのような意味が付与されているかを操作者に伝えることが可能となる。
【発明を実施するための最良の形態】
【００１８】
以下、本発明の実施の形態について添付図面を参照して詳細に説明する。なお、以下においては、本発明を移動体端末装置に具現化する場合について示すが、当該移動体端末装置の操作支援方法としても成立するものである。
【００１９】
図１は、本発明の一実施の形態に係る移動体端末装置としての携帯電話装置（以下、単に「携帯電話」という）の斜視図である。なお、本実施の形態においては、移動体端末装置が携帯電話である場合について説明するが、これに限定されるものではない。後述するように、ユーザインターフェイスとしてタッチパネルを備えていれば、いかなる移動体端末装置にも適用することが可能である。
【００２０】
図１に示すように、本実施の形態に係る携帯電話１０は、ヒンジ部１１を介して折り畳み可能に構成される上側本体１２及び下側本体１３を備えている。上側本体１２及び下側本体１３には、それぞれ携帯電話１０を折り畳んだ際にその内側に配置される面にタッチパネル部１４及び１５が配設されている。なお、図１においては、上側本体１２及び下側本体１３の双方にタッチパネル部１４及び１５を配設する場合について示しているが、これに限定されず、いずれか一方（例えば、下側本体１３）にのみタッチパネル部１４を配設し、他方にタッチパネル機能を有しないディスプレイ部を配設するようにしても良い。
【００２１】
図２は、本実施の形態に係る携帯電話１０が備えるタッチパネル部１５の構造を説明するための模式図である。図２に示すように、タッチパネル部１５は、検出パネル２１と、液晶表示パネル２２と、振動デバイス２３と、下側本体１３に設けられた感圧センサ２４とを備えて構成されている。なお、図２においては、検出パネル２１、液晶表示パネル２２及び振動デバイスを下側本体１３から取り外した状態について示しているが、実際には、下側本体１３の所定位置（図２に示す破線位置）に重ね合わせた状態で使用される。
【００２２】
検出パネル２１は、操作面への接触の検出信号として、また、操作面への接触の検出座標値を検出座標信号として平面座標値（Ｘ軸２５、Ｙ軸２６）を出力するように構成されている。なお、検出パネル２１の検出機構は、抵抗膜式、超音波式、光電式、静電容量式などの一般的なタッチパネルの既存技術によるものであるため、その詳細な説明は省略する。ここでは、検出パネル２１は、下部に配置される液晶表示パネル２２に重ねて配置されるため、透明（又は半透明）の材料で構成されている。
【００２３】
液晶表示パネル２２は、既存技術のバックライト付きのＬＣＤ装置（液晶ディスプレイ装置）で構成されている。タッチパネル部１５のディスプレイ手段としては、他に、ＥＬ（エレクトロルミネッセンス）ディスプレイや、ＣＲＴ（カソードレイチューブ）ディスプレイ等の既存技術を適用することも可能である。
【００２４】
振動デバイス２３は、操作者に機械的駆動を伝達する機構を有する。本実施の形態においては、携帯電話１０の着信を知らせるために利用される振動機構と共用される。本実施の形態において、振動デバイス２３は、後述するように、第１〜第９駆動ユニット２３ａ〜２３ｉを備えている。
【００２５】
感圧センサ２４は、操作者による押圧操作を検出する。本実施の形態においては、４つの感圧センサ２４によりタッチパネル部１５を支持するように構成されている。そして、４つの感圧センサ２４により検出される圧力を合計して、タッチパネル部１５全体への圧力として算出する。なお、感圧センサ２４は、操作者が操作面を強く押圧する強押圧操作を、検出パネル２１をなぞる弱押圧操作と区別して検出できるように構成されている。例えば、検出パネル２１が検出を開始する圧力の閾値よりも大きい圧力の操作で感圧センサ２４が強押圧操作を検出するように、感圧センサ２４の閾値を所定の圧力に設定することで、強押圧操作と弱押圧操作とが区別される。
【００２６】
図３は、本実施の形態に係る携帯電話１０の機能ブロック図である。なお、図３に示す機能ブロックについては、本発明を説明するために簡略化したものであり、携帯電話１０は、通常の携帯電話に必要な処理機能を備えるものとする。
【００２７】
図３に示すように、携帯電話１０は、装置全体の制御を行う主制御部３１と、液晶表示パネル２２における表示を制御する表示制御部３２と、感圧センサ２４の出力信号から操作者の接触位置を検出する位置検出部３３と、振動デバイス２３を構成する第１〜第９駆動ユニット２３ａ〜２３ｉの駆動を制御する駆動制御部３４と、音声通話等に必要となる制御を行う通信制御部３５と、電子メール等の送受信に必要となる制御を行うメール制御部３６と、内蔵するカメラの駆動に必要となる制御を行うカメラ制御部３７とを備えて構成されている。
【００２８】
ここで、振動デバイス２３の構成について図４を用いて説明する。図４は、本実施の形態に係る携帯電話１０が有する振動デバイス２３の構成について説明するための拡大図である。
【００２９】
図４に示すように、振動デバイス２３は、上段に並べられた第１〜第３駆動ユニット２３ａ〜２３ｃ、中段に並べられた第４〜第６駆動ユニット２３ｄ〜２３ｆ、並びに、下段に並べられた第７〜第９駆動ユニット２３ｇ〜２３ｉを備えている。なお、図４においては、振動デバイス２３が９つの駆動ユニットを備える場合について説明するが、これに限定されるものではなく、駆動ユニットの数については適宜変更が可能である。また、第１〜第９駆動ユニット２３ａ〜２３ｉの配列についても、これに限定されるものではなく、適宜変更が可能である。
【００３０】
各駆動ユニット２３ａ〜２３ｉは、１２箇所に仕切られた駆動領域を有している。駆動領域の数及びその仕切り方については適宜変更が可能であるが、本実施の形態においては、上下に４列、左右に３列に仕切る場合について示している。そして、各駆動領域には、図４の第１駆動ユニット２３ａに示すように、タッチパネル部１５上の当該駆動ユニットに対応する領域の表示内容（例えば、文字表示の内容）を操作者に通知するために、一般的な携帯電話の入力方式（所謂、５タッチ方式）に用いられる情報を割り当てている。
【００３１】
すなわち、最上段の左側の駆動領域には数字「１」及び文字「あ、い、う、え、お（あ行）」の情報を割り当て、中央の駆動領域には数字「２」及び文字「か、き、く、け、こ（か行）」の情報を割り当て、右側の駆動領域には数字「３」及び文字「さ、し、す、せ、そ（さ行）」の情報を割り当てている。また、２段目の左側の駆動領域には数字「４」及び文字「た、ち、つ、て、と（た行）」の情報を割り当て、中央の駆動領域には数字「５」及び文字「な、に、ぬ、ね、の（な行）」の情報を割り当て、右側の駆動領域には数字「６」及び文字「は、ひ、ふ、へ、ほ（は行）」の情報を割り当てている。さらに、３段目の左側の駆動領域には数字「７」及び文字「ま、み、む、め、も（ま行）」の情報を割り当て、中央の駆動領域には数字「８」及び文字「や、ゆ、よ（や行）」の情報を割り当て、右側の駆動領域には数字「９」及び文字「ら、り、る、れ、ろ（ら行）」の情報を割り当てている。最下段の左側の駆動領域には記号「＊」及び「濁点」、「半濁点」の情報を割り当て、中央の駆動領域には数字「０」及び文字「わ」、句読点「、」、「。」の情報を割り当て、右側の駆動領域には記号「♯」の情報を割り当てている。なお、各駆動領域に割り当てられる情報の内容については適宜変更が可能である。
【００３２】
ここで、このような駆動ユニットが有する駆動領域と、タッチパネル部１５上の当該駆動ユニットに対応する領域に触れた操作者の指との関係について図５を用いて説明する。図５は、タッチパネル部１５上の第１駆動ユニット２３ａに対応する領域に触れた操作者の指の拡大図である。
【００３３】
図５に示すように、第１駆動ユニット２３ａが有する全ての駆動領域は、第１駆動ユニット２３ａに対応する領域に接触した指の接触面６１の範囲内に収まるように配置されている。本実施の形態に係る携帯電話１０においては、操作者が、タッチパネル部１５上の第１駆動ユニット２３ａに対応する領域に触れている状態において、第１駆動ユニット２３ａの駆動領域における振動回数を制御することで、操作者にその領域に表示された内容を通知するものである。
【００３４】
以下、本実施の形態に係る携帯電話１０において、タッチパネル部１５上の駆動ユニット２３ａ〜２３ｉに対応する領域の表示内容を操作者に通知する場合の具体例について説明する。なお、以下においては、説明の便宜上、各駆動ユニットにおける最上段の左側の駆動領域を駆動領域１、中央の駆動領域を駆動領域２、右側の駆動領域を駆動領域３と呼び、２段目の左側の駆動領域を駆動領域４、中央の駆動領域を駆動領域５、右側の駆動領域を駆動領域６と呼ぶものとする。また、３段目の左側の駆動領域を駆動領域７、中央の駆動領域を駆動領域８、右側の駆動領域を駆動領域９と呼び、最下段の左側の駆動領域を駆動領域１０、中央の駆動領域を駆動領域１１、右側の駆動領域を駆動領域１２と呼ぶものとする。
【００３５】
ここでは、図６に示すような表示画面がタッチパネル部１５上に表示された場合について考えるものとする。図６に示す表示画面においては、タッチパネル部１５上の第１〜第３駆動ユニット２３ａ〜２３ｃに対応する領域４１に「でんわ」という文字情報が表示され、第４〜第６駆動ユニット２３ｄ〜２３ｆに対応する領域４２に「メール」という文字情報が表示され、第７〜第９駆動ユニット２３ｇ〜２３ｉに対応する領域４３に「カメラ」という文字情報が表示されている。操作者は、領域４１に対して強押圧操作を行うことにより電話機能を駆動することができ、領域４２に対して強押圧操作を行うことによりメール機能を駆動することができ、領域４３に対して強押圧操作を行うことによりカメラ機能を駆動することができる。
【００３６】
特に、領域４１においては、第１駆動ユニット２３ａに対応する領域に「で」が表示され、第２駆動ユニット２３ｂに対応する領域に「ん」が表示され、第３駆動ユニット２３ｃに対応する領域に「わ」が表示されている。また、領域４２においては、第４駆動ユニット２３ｄに対応する領域に「メ」が表示され、第５駆動ユニット２３ｅに対応する領域に「ー」が表示され、第６駆動ユニット２３ｆに対応する領域に「ル」が表示されている。さらに、領域４３においては、第７駆動ユニット２３ｇに対応する領域に「カ」が表示され、第８駆動ユニット２３ｈに対応する領域に「メ」が表示され、第９駆動ユニット２３ｉに対応する領域に「ラ」が表示されている。
【００３７】
このような表示画面がタッチパネル部１５上に表示されている状態において、例えば、操作者が、図６に示す領域４３内の第７駆動ユニット２３ｇに対応する領域に触れた場合、第７駆動ユニット２３ｇは、文字情報「カ（か）」を操作者に通知するため、図７（ａ）に示すように、駆動領域２を１回振動させる。その後、当該領域において表示されている文字情報の通知が終了したことを示すため、全ての駆動領域を１回振動させる。なお、図７においては、振動する駆動領域について斜線を示している。
【００３８】
続いて、操作者が、タッチパネル部１５上の指をスライドさせ、図６に示す領域４３内の第８駆動ユニット２３ｈに対応する領域に触れた場合、第８駆動ユニット２３ｈは、文字「メ（め）」を操作者に通知するため、図７（ｂ）に示すように、駆動領域７を４回振動させる。その後、当該領域において表示されている文字情報の通知が終了したことを示すため、全ての駆動領域を１回振動させる。
【００３９】
さらに、操作者が、タッチパネル部１５上の指をスライドさせ、図６に示す領域４３内の第９駆動ユニット２３ｉに対応する領域に触れた場合、第９駆動ユニット２３ｉは、文字「ラ（ら）」を操作者に通知するため、図７（ｃ）に示すように、駆動領域９を１回振動させる。その後、当該領域において表示されている文字情報の通知が終了したことを示すため、全ての駆動領域を１回振動させる。
【００４０】
以上説明したように、本実施の形態に係る携帯電話１０においては、このような振動を操作者の指に与えることにより、操作者に、図６に示す領域４３に表示される文字情報「カメラ」が通知されることとなる。
【００４１】
このように本実施の形態に係る携帯電話１０によれば、振動デバイス２３が、タッチパネル部１５上の操作者の接触位置に表示された表示内容に応じた特定の駆動ユニット２３ａ〜２３ｉの駆動領域を振動させるようにしたことから、タッチパネル部１５上の操作者の接触位置の表示内容に応じた特定の駆動領域における振動を介して、当該表示内容を操作者に通知することができるので、タッチパネル部１５上に表示される操作画面の特定範囲にどのような意味が付与されているかを操作者に伝えることが可能となる。
【００４２】
本実施の形態に係る携帯電話１０を用いた場合においては、例えば、高齢の操作者や視覚に障害を有する操作者などタッチパネル部１５の表示内容を確認することが困難な操作者においても、タッチパネル部１５上に表示される操作画面の特定範囲にどのような意味が付与されているかを把握することが可能となるので、より操作性に優れた携帯電話１０を提供することが可能となる。
【００４３】
また、本実施の形態に係る携帯電話１０においては、各駆動ユニット２３ａ〜２３ｉの駆動領域に予め操作者が把握可能な情報を割り当てておき、振動デバイス２３が、タッチパネル部１５上の操作者の接触位置の表示内容に応じた情報が割り当てられた駆動領域を振動させるようにしていることから、上記表示内容に応じた情報が割り当てられた駆動領域の振動を介して、当該表示内容を操作者に通知することができるので、タッチパネル部１５上に表示される操作画面の特定範囲にどのような意味が付与されているかを具体的に操作者に伝えることが可能となる。
【００４４】
特に、本実施の形態に係る携帯電話１０においては、各駆動ユニット２３ａ〜２３ｉの駆動領域に予め複数の情報を割り当てておき、振動デバイス２３が、タッチパネル部１５上の操作者の接触位置の表示内容に応じた情報が割り当てられた駆動領域を所定回数振動させるようにしていることから、上記表示内容に応じた情報が割り当てられた駆動領域における所定回数の振動を介して、当該表示内容を操作者に通知することができるので、振動デバイス２３が有する駆動領域の数量を減らしつつ、タッチパネル部１５上に表示される操作画面の特定範囲にどのような意味が付与されているかを具体的に操作者に伝えることが可能となる。
【００４５】
また、本実施の形態に係る携帯電話１０においては、各駆動ユニット２３ａ〜２３ｉの駆動領域に予め文字情報又は数字情報を割り当てていることから、文字情報又は数字情報に基づく振動を介して、タッチパネル部１５上の接触位置の表示内容を操作者に通知することができるので、タッチパネル部１５上に表示される操作画面の特定範囲にどのような意味が付与されているかを明確に操作者に伝えることが可能となる。
【００４６】
さらに、本実施の形態に係る携帯電話１０においては、図５に示すように、振動デバイス２３に、タッチパネル部１５上の操作者の指の接触面６１に対応する複数の駆動領域を配設していることから、操作者の指の接触面６１を介して、操作者の接触位置に対応する表示内容を通知することができるので、タッチパネル部１５の限られた範囲を有効に活用しつつ、タッチパネル部１５上に表示される操作画面の特定範囲にどのような意味が付与されているかを明確に操作者に伝えることが可能となる。
【００４７】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【００４８】
例えば、上記実施の形態においては、各駆動ユニット２３ａ〜２３ｉに対応する領域の表示内容を操作者に通知するために、当該駆動ユニット２３ａ〜２３ｉが有する各駆動領域に、一般的な携帯電話の入力方式に用いられる情報（文字情報や数字情報等）を割り当てた場合について示している。しかし、各駆動領域に割り当てられる情報については、これに限定されるものではなく、適宜変更が可能である。振動を受けることによって操作者がその情報を把握することができれば、いかなる情報を各駆動領域に割り当ても良い。例えば、一般的なポケットベルの入力方式に用いられる情報を割り当てることも可能である。
【００４９】
一般的なポケットベルの入力方式に用いられる情報においては、例えば、駆動領域１には数字「１」及び母音「あ」を示す情報が割り当てられ、駆動領域２には数字「２」、子音「か行」及び母音「い」を示す情報が割り当てられ、駆動領域３には数字「３」、子音「さ行」及び母音「う」の情報が割り当てられている。また、駆動領域４には数字「４」、子音「た行」及び母音「え」を示す情報が割り当てられ、駆動領域５には数字「５」、子音「な行」及び母音「お」を示す情報が割り当てられ、駆動領域６には数字「６」及び子音「は行」を示す情報が割り当てられている。さらに、駆動領域７には数字「７」及び子音「ま行」を示す情報が割り当てられ、駆動領域８には数字「８」及び子音「や行」を示す情報が割り当てられ、駆動領域９には数字「９」及び子音「ら行」を示す情報を割り当てられている。駆動領域１０には記号「＊」及び「濁点」、「半濁点」を示す情報が割り当てられ、駆動領域１１には数字「０」及び句読点「、」、「。」を示す情報が割り当てられ、駆動領域１２には記号「♯」を示す情報が割り当てられている。
【００５０】
このように一般的なポケットベルの入力方式に用いられる情報を割り当てた場合において、タッチパネル部１５上の駆動ユニット２３ａ〜２３ｉに対応する領域の表示内容を通知する場合の具体例について説明する。ここでは、図６に示す表示画面を用いて説明するものとする。
【００５１】
図６に示す表示画面が表示されている場合において、例えば、操作者が、領域４３内の第７駆動ユニット２３ｇに対応する領域に触れた場合、第７駆動ユニット２３ｇは、文字「カ（か）」を操作者に通知するため、図８（ａ）に示すように、子音「か行」を通知すべく駆動領域２を１回振動させる。その後、母音「い」を通知すべく駆動領域１を１回振動させる。
【００５２】
続いて、操作者が、タッチパネル部１５上の指をスライドさせ、領域４３内の第８駆動ユニット２３ｈに対応する領域に触れた場合、第８駆動ユニット２３ｈは、文字「メ（め）」を操作者に通知するため、図８（ｂ）に示すように、子音「ま行」を通知すべく駆動領域７を１回振動させる。その後、母音「え」を通知すべく駆動領域４を１回振動させる。
【００５３】
さらに、操作者が、タッチパネル部１５上の指をスライドさせ、図５に示す領域４３内の第９駆動ユニット２３ｉに対応する領域に触れた場合、第９駆動ユニット２３ｉは、文字「ラ（ら）」を操作者に通知するため、図８（ｃ）に示すように、子音「ら行」を通知すべく駆動領域９を１回振動させる。その後、母音「あ」を通知すべく駆動領域１を１回振動させる。このような振動を操作者の指に与えることにより、上記実施の形態と同様に、操作者に、図６に示す領域４３に表示される文字情報「カメラ」が通知されることとなる。
【００５４】
また、上記実施の形態においては、図６に示すように、各駆動ユニット２３ａ〜２３ｉに対応する領域に１つの文字情報を表示する場合について示している。しかし、各駆動ユニット２３ａ〜２３ｉに対応する領域に表示される文字情報の数についてはこれに限定されるものではなく、適宜変更が可能である。例えば、複数の文字情報を各駆動ユニット２３ａ〜２３ｉに対応する領域に表示することも可能である。
【図面の簡単な説明】
【００５５】
【図１】本発明の一実施の形態に係る移動体端末装置としての携帯電話の斜視図である。
【図２】上記実施の形態に係る携帯電話が備えるタッチパネル部の構造を説明するための模式図である。
【図３】上記実施の形態に係る携帯電話の機能ブロック図である。
【図４】上記実施の形態に係る携帯電話が有する振動デバイスの構成について説明するための拡大図である。
【図５】上記実施の形態に係る携帯電話が有するタッチパネル部上のいずれかの駆動ユニットに対応する領域に触れた操作者の指の拡大図である。
【図６】上記実施の形態に係る携帯電話が有する液晶表示パネルに表示された表示画面例について示す図である。
【図７】図６に示す文字情報「カメラ」を操作者に通知する場合の振動について説明するための図である。
【図８】図６に示す文字情報「カメラ」を操作者に通知する場合の振動について説明するための図である。
【符号の説明】
【００５６】
１０  移動体端末装置（携帯電話）
１１  ヒンジ部
１２  上側本体
１３  下側本体
１４、１５  タッチパネル部
２１  検出パネル
２２  液晶表示パネル
２３  振動デバイス
２４  感圧センサ
３１  主制御部
３２  表示制御部
３３  位置検出部
３４  駆動制御部
３５  通信制御部
３６  メール制御部
３７  カメラ制御部
【図１】
2008046844.tif 000003
【図２】
2008046844.tif 000004
【図３】
2008046844.tif 000005
【図４】
2008046844.tif 000006
【図５】
2008046844.tif 000007
【図６】
2008046844.tif 000008
【図７】
2008046844.tif 000009
【図８】
2008046844.tif 000010